(57)【要約】【課題】十分な通気性能と雨雪等進入防止性能とを有すると共に十分な保形力を具備していて、上記各性能が経時的に損なわれるおそれがなく、しかも比較的廉価にて供給し得るプラスチック製通気材を提供することを課題とする。【解決手段】ポリプロピレン等のプラスチック製プレート２ａを加工してその表面に多数の円錐体２を密に立設して成る通気プレート１を用いて構成したことを特徴とする。本通気材は、前記通気プレート１を複数枚積層して構成することがあり、その場合、前記通気プレート１を表裏同じ向きにする場合と逆向きにして貼り合わせる場合とがある。また、本通気材においては、そのプラスチック製プレート２ａの前記円錐体形成面と反対の面にプラスチック製等の防水プレートが被装されることがある。【選択図】図１
2006104767.tif 000002
【特許請求の範囲】
【請求項１】
ポリプロピレン等のプラスチック製プレートを加工してその表面に多数の円錐体を密に立設して成る通気プレートを用いて構成したことを特徴とする通気材。
【請求項２】
前記通気プレートを複数枚積層して構成した請求項１に記載の通気材。
【請求項３】
前記通気プレート２枚を表裏逆向きにして貼り合わせた請求項２に記載の通気材。
【請求項４】
前記プラスチック製プレートの前記円錐体形成面と反対の面に防水プレートを被装した請求項１乃至３のいずれかに記載の通気材。
【請求項５】
前記円錐体を下向きにして、前記通気プレートを中央部から折曲して山形にした請求項１に記載の通気材。
【請求項６】
前記円錐体を下向きにした前記通気プレートを２枚、端部をテープ止めして接合し、その接合部分から折曲して山形にした請求項１に記載の通気材。
【請求項７】
山形にした通気プレートの両端部にフラップを設けた請求項５又は６に記載の通気材。
【請求項８】
山形にした通気プレートの両側最外端に位置する前記円錐体の頭面又は頭側面に邪魔板を取り付けた請求項５乃至７のいずれかに記載の通気材。
【発明の詳細な説明】
【技術分野】
【０００１】
本発明は通気材、より詳細には、家屋の棟、寄せ棟、軒天、通気層入口、壁、屋根等に設置されて、雨水や雪、あるいは虫類、ゴミ等の進入を防止しつつ屋内外の通気を行わしめる通気材に関するものである。
【背景技術】
【０００２】
当然のことながら、上記通気材は、十分な通気性能を有していなければならないため、内部に十分な通気スペースを有すると共に、開口面が十分な開口率を備えていることが必要である。しかるに一方、雨雪や虫等の進入を阻止するために、開口面は小さな通気孔の集合ということになるが、各通気孔の開口面積は、それぞれ十分に小さなものであることが要求される。
【０００３】
上記プラスチック製通気材としては、幅方向に貫通する通気孔を全長に亘って連設したプラスチックプレートを複数枚積層し、前記積層したプラスチックプレートをヒートカッターにて切断し、該切断面を熱融着固定したもの（特許第２６８３１０９号公報、同第２６１０３４２号公報他）が多く用いられている。
【０００４】
この通気材の場合、通例、各プラスチックプレートの１つの通気孔の断面は、上記防水等の要請から縦１ｍｍ、横２．５ｍｍ程の小さな長方形とされ、また、プラスチックプレートは、通気材としての厚さを得るために複数段積層されるが、縦方向の保形力はそれ程強くない。従って、使用中通気材に負荷がかからない場合は問題はないが、予期せぬ積雪にあったり、過度の重量物下に設置されたり、施工時に過度に踏み付けられたりする等によって大きな負荷がかかる場合には、開口部が圧潰されて通気性能が劣化するおそれがある。
【０００５】
また、この場合、通気孔の断面積は上述したように小さいため、実際プラスチックプレート１枚のみで使用することはなく、必ず多数枚積層して用いる必要があり、それが、コストアップの要因となっていた。
【０００６】
更に、２枚のプラスチックプレート間に多数の円柱体を配列して通気空間を確保することも提案されているが（特開平８−１０５１７２号公報）、この場合も縦方向の強度に問題があり、また、上記多数の通気孔を設けるタイプに比較すると、通気性能が劣る。
【特許文献１】特許第２６８３１０９号公報
【特許文献２】特許第２６１０３４２号公報
【特許文献３】特開平８−１０５１７２号公報
【発明の開示】
【発明が解決しようとする課題】
【０００７】
本発明は、上記従来の通気材における問題点を解決するためになされたもので、十分な通気性能と雨雪等進入防止性能とを有すると共に十分な保形力を具備していて、上記各性能が経時的に損なわれるおそれがなく、しかも比較的廉価にて供給し得るプラスチック製通気材を提供することを課題とする。
【課題を解決するための手段】
【０００８】
本発明は、ポリプロピレン等のプラスチック製プレートを加工してその表面に多数の円錐体を密に立設して成る通気プレートを用いて構成したことを特徴とする通気材、を以て上記課題を解決した。
【０００９】
本通気材は、前記通気プレートを複数枚積層して構成することがあり、その場合、前記通気プレートを表裏同じ向きにする場合と逆向きにして貼り合わせる場合とがある。また、本通気材においては、そのプラスチック製プレートの前記円錐体形成面と反対の面にプラスチック製等の防水プレートが被装されることがある。
【００１０】
本通気材は、前記円錐体を下向きにして、前記通気プレートを中央部から折曲し、あるいは、２つの通気プレートをテープ止めして山形にして構成することができ、その場合、両端部に自然開閉するフラップを設けることがあり、また、最外端に位置する前記円錐体の頭面又は頭側面に邪魔板が取り付けられることもある。
【発明の効果】
【００１１】
本発明に係る通気材は、十分な通気性能と雨雪等進入防止性能とを有し、更に十分な保形力を具備していて上記各性能が経時的に損なわれるおそれがなく、しかも製造容易で比較的廉価にて供給することができ、種々の態様の通気装置を構成し得る効果がある。
【発明を実施するための最良の形態】
【００１２】
本発明に係る通気材は、プラスチック製プレート、即ち、例えば厚さ０．１〜０．３ｍｍ程のポリプロピレン等製の薄手のプレート２ａに、エンボス加工等によって、先端部を平坦にした高さ５〜１０ｍｍ程の円錐体２を、密に設けた通気プレート１を用いる。
なお、仮に各円錐体２の下端同士が接触する程度に密に配列したとしても、通気路３は十分に確保できる。
【００１３】
円錐体２は縦横に基盤目状に並ぶようにしてもよいし（図１（Ａ））、各列が上下に少し宛ずれるようにしてもよい。後者の場合は更に、各列の円錐体２の下部が隣りの列の円錐体２の下部２に若干オーバーラップするように密に形成してもよい（図１（Ｂ））。更に、後者の変形例として、図１（Ｃ）に示すように、複数例（図では２列）単位に、隣接する複数列に対して少し宛ずれるようにしてもよい。円錐体２は、必らずしもこのような規則的な配列である必要はなく、不規則に配列してもよい。
【００１４】
プレート２ａの裏面、即ち、円錐体２形成面と反対面に防水プレート６を被着することもある。防水プレート６は、プレート２ａと同様の厚さのものであってもよいし、より薄手のものであってもよい。
【００１５】
上記円錐体２は、単独であってもかなりの保形力を有していて、円筒形の場合や従来のプラスチックプレートのような縦ラミナーの場合よりも強く、簡単には潰れないが、本発明において用いられる通気プレート１にはこの円錐体２が多数密に配置されているため、通気プレート１にかかる負荷が多数の円錐体２に分散される。従って、この通気プレート１は、それにかかる圧潰力に対してかなりの抵抗力を示し、円錐体２の間の通気路３となる間隙は確実に保持されるので、特にこの通気プレート１は、使用中、施工作業中等に負荷のかかる通気材として用いるのに好適である。
【００１６】
この通気プレート１は、円錐体２に十分な高さがあってその周囲（特に頂部付近）に十分な通気空間を保持できるので、１枚のみにて通気材として用いることができる。図２は、その使用例として棟に用いる場合を示している。その場合は、所望サイズにカットした通気プレート１を、円錐体２を下向きにして単に２つ折りするだけで、棟換気材とすることができ、そのまま棟開口４上に設置固定することができる。勿論、２枚の通気プレート１、１の端部をテープ止めして一体化し、そのテープ部分から折曲して山形にしてもよい。
【００１７】
その場合、好ましくは、上面に防水プレート６を被装したものを用いるが、更に、防水プレート６の一端部又は両端部を延長して下方に垂らし、風力に応じて揺動するフラップ７とすることもある（図２参照）。このフラップ７は、後述するように、強風時における雨雪の吹き込みを防止する役目を果たすものである。なお、フラップ７は、防水プレート６とは別体のものとして形成し、プレート２ａの端部に接着等によって設置することもできる。
【００１８】
また、同じ目的で、このフラップ７の代わりに、あるいは、フラップ７と共に、邪魔板８が設置されることもある。この場合邪魔板８は直角又はくの字形に折曲され、野地板９上に当接するその水平部の端部が、下向きの円錐体２の頭面（図２の右端の円錐体２参照）又は頭側部（図２の左端の円錐体２参照）に固定される。
【００１９】
なお、この邪魔板８を円錐体２に固定する構成は、図２に示す実施形態に限らず、他の実施形態においても採用可能であることはいうまでもない。
【００２０】
小屋裏内の空気は、自然に棟開口４から出て多数の通気路３を介して排出される。その際空気は円錐体２に当たるが、円錐体２が円錐形状のため、さ程の抵抗なく、スムーズに通気路３を流れる。また、揺動自在のフラップ７に対しても、抵抗なく通過する。
【００２１】
強風時等に屋根面を伝って吹き上げられてくる雨雪等は、多数の円錐体２に衝突して勢いを殺がれ、棟開口４にまで達することはない。特にフラップ７がある場合は、フラップ７が内方に押されて通気開口面の通気路３を閉塞するので、雨雪等が通気路３の奥深くまで入り込むことが防止される。邪魔板８がある場合は、雨雪等の吹き込み防止は、より完全なものとなる。
【００２２】
通気材として厚みが必要な場合には、通気プレート１を複数枚積層して構成する。図３乃至図６は、その積層方法の例を示すものである。
【００２３】
図３に示す通気材は、通気プレート１を複数枚（図３では３枚）同じ向きに積層したものである。この場合、上下の円錐体２同士が重なってスタッキング状態とならないように、円錐体２、２同士がずれるようにして積層するか、あるいは、各通気プレート１間にプラスチックプレートを挟み入れるようにする（このプラスチックプレートは上記防水プレート６で兼ねることができる。）。なお、強度を増すために、通気プレート１を複数枚スタッキングさせる使用法も考えられる。
【００２４】
図４に示す通気材は、２枚の通気プレート１、１を、その円錐体２同士が向かい合うようにして貼り合わせたものである。図示した例では、この通気材は、棟に用いるものとして構成されている。この場合、上側の通気プレート１ａとしては１枚ものが用いられて中央から山形に折曲され、下側の通気プレート１ｂ、１ｂとしては、小幅にしたものが２枚用いられ、それらが中央部を開けることによって空気導入口５を形成して、上側の通気プレート１ａに固定される。
【００２５】
図５に示す通気材は、図４に示す通気材のように、２枚の通気プレート１を、その円錐体２同士が向かい合うようにして貼り合わせたものを、更に２組積層したものである。この通気材も棟設置用に構成されていて、最上段の通気プレート１のみが連続していて（上記のとおり、一連のものを山形に折曲した場合と、別体のものをテープ止めして一体化して山形にした場合がある。）、それより下の通気プレート１は中央部が分離されて空気導入口５が形成されている。
【００２６】
また、図６に示す通気材は、上記のものとは逆に、２枚の通気プレート１、１をその円錐体２、２同士が逆向きになるようにして、プレート２ａ同士を貼り合わせて積層したものである。更に、２枚重ねしたものを、上記円錐体２同士を接合する方法等によって複数積層して構成することもできる。
【００２７】
なお、図示した例では、上下の通気材が、内外両端でずれて段差が形成されているが、内外共に段差ができないように、端部を合わせてカットすることもできる。
【００２８】
以上いずれの実施形態においても、上記フラップ７の構成、並びに、邪魔板８の構成を付加することができることは上述したとおりである。
【００２９】
本発明に係る通気材の、特許第２６８３１０９号に係る製品（比較例１）に対する優位性を確認するために雨水浸入度を見る雨水浸入試験を行なった。雨水浸入試験は、ベーン式風速センサーを使用して建材試験センターの試験に準じて行ったもので、その結果（評価）は次のとおりであった。なお、実施例１は図１（Ａ）に示すパターンのもの、実施例２は図１（Ｂ）に示すパターンのもの、実施例３は図１（Ｃ）に示すパターンのものであり、左側のもの程、雨水浸入度が低かった。
【００３０】
実施例１＝実施例２＞実施例３＞比較例１
【００３１】
下記表１は、上記実施例１〜３及び比較例１に更に、特開平８−１０５１７２号に係る製品（比較例２）を加えて行なった通気性能試験の結果を示すもので、通気性能試験は、送風機からの風を整流して試験体に吹きつけ、差圧計を用いて試験体の前後における圧力差を測定し、所定の圧力差時における風量を測定することによって行ったもので、表中の数値が大きい程、通気性能がよいことを意味する。
【００３２】
2006104767.tif 000003
【００３３】
以上の試験結果からすると、雨水非浸入性及び通気性能のいずれの点においても、各実施例が各比較例よりもすぐれており、実施例の中では実施例２が最もすぐれているということができる。
【００３４】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３５】
【図１】本発明に係る通気材を構成するための通気プレートを示す図である。
【図２】本発明に係る通気材の構成例及び使用例を示す図である。
【図３】本発明に係る通気材の他の構成例を示す図である。
【図４】本発明に係る通気材の更に他の構成例及び使用例を示す図である。
【図５】本発明に係る通気材の更に他の構成例及び使用例を示す図である。
【図６】本発明に係る通気材の更に他の構成例を示す図である。
【符号の説明】
【００３６】
１    通気プレート
１ａ  通気プレート
１ｂ  通気プレート
２    円錐体
２ａ  プラスチック製プレート
３    通気路
４    棟開口
５    空気導入口
６    防水プレート
７    フラップ
８    邪魔板
９    野地板
【図１】
2006104767.tif 000004
【図２】
2006104767.tif 000005
【図３】
2006104767.tif 000006
【図４】
2006104767.tif 000007
【図５】
2006104767.tif 000008
【図６】
2006104767.tif 000009
【手続補正書】
【提出日】平成16年11月5日(2004.11.5)
【手続補正１】
【補正対象書類名】明細書
【補正対象項目名】００１３
【補正方法】変更
【補正の内容】
【００１３】
円錐体２は縦横に碁盤目状に並ぶようにしてもよいし（図１（Ａ））、各列が上下に少し宛ずれるようにしてもよい。後者の場合は更に、各列の円錐体２の下部が隣りの列の円錐体２の下部２に若干オーバーラップするように密に形成してもよい（図１（Ｂ））。更に、後者の変形例として、図１（Ｃ）に示すように、複数例（図では２列）単位に、隣接する複数列に対して少し宛ずれるようにしてもよい。円錐体２は、必らずしもこのような規則的な配列である必要はなく、不規則に配列してもよい。